(57)【要約】【課題】手探りタッチ操作でのユーザの誤操作を防止し、タッチ誤判定を防ぎ、複数の選択肢の中から素早い選択を行う。【解決手段】本発明の一側面としての電子機器は、第１の操作部材のタッチパネルと、第２の操作部材で、２軸方向に配列された複数の選択肢を選択する手段であって、所定の条件によって、タッチパネルに対してタッチしたまま移動する操作を検知すると、前記選択肢のうち、第１の軸方向のみの選択肢を選択し、第２の操作部材の操作では、前記選択肢のうち、第１の軸方向とは異なる第２の軸方向の選択肢を選択するように制御する制御手段、を有することを特徴とする構成とした。【選択図】  図７
2018113536.tif 000002
【特許請求の範囲】
【請求項１】
第１の操作部材のタッチパネル（２７）と、第２の操作部材（７１）で、
２軸方向に配列された複数の選択肢（４１）を選択する手段であって、
所定の条件によって、
タッチパネルに対してタッチしたまま移動する操作を検知すると、前記選択肢のうち、
第１の軸方向のみの選択肢を選択し、
第２の操作部材の操作では、前記選択肢のうち、
第１の軸方向とは異なる第２の軸方向の選択肢を選択するように制御する制御手段（５０）、
を有することを特徴とする電子機器（１００）。
【請求項２】
物体の近接を検知可能な近接検知手段（５５）を有し、
前記所定の条件とは、近接検知手段（５５）による近接検知時であることを含む、
請求項１に記載の電子機器（１００）。
【請求項３】
第１の操作部材のタッチパネル（２７）と、第２の操作部材（７１）で、
２軸方向に配列された複数の選択肢（４１）を選択する手段であって、
前記選択肢を選択するときの移動量となる数値を予め記録する手段を持ち、
所定の条件によって、
タッチパネルに対してタッチしたまま移動する操作を検知すると、前記選択肢のうち、
第１の軸方向のみの選択肢を選択し、
第２の操作部材の操作では、前記選択肢のうち、
第１の軸方向とは異なる第２の軸方向の選択肢を選択するように制御する制御手段（５０）、
を有し、
さらに、前記選択肢の移動量の数値を基に、第１と第２の操作での選択肢の移動量が決定されることを特徴とする電子機器（１００）。
【請求項４】
物体の近接を検知可能な近接検知手段（５５）を有し、
前記所定の条件とは、近接検知手段（５５）による近接検知時であることを含む、
請求項３に記載の電子機器（１００）。
【請求項５】
第１の操作部材のタッチパネル（２７）と、第２の操作部材（７１）で、
２軸方向に配列された複数の選択肢（４１）を選択する手段であって、
前記選択肢を選択するときの移動量となる数値を予め記録する手段を持ち、
所定の条件によって、
タッチパネルに対してタッチしたまま移動する操作を検知すると、前記選択肢のうち、
第１の軸方向のみの選択肢を選択し、
第２の操作部材の操作では、前記選択肢のうち、
第１の軸方向とは異なる第２の軸方向の選択肢を選択するように制御する制御手段（５０）、
を有し、
前記選択肢の移動量の数値を基に、第１と第２の操作での選択肢の移動量が決定され、
前記第１および第２の操作部材の逆方向となる操作を検出したら、
前記表示移動量が最少となるように設定する手段と、
を有することを特徴とする電子機器（１００）。
【請求項６】
物体の近接を検知可能な近接検知手段（５５）を有し、
前記所定の条件とは、近接検知手段（５５）による近接検知時であることを含む、
請求項５に記載の電子機器（１００）。
【発明の詳細な説明】
【技術分野】
【０００１】
本発明は、タッチパネルによる接触位置検出機能を備えた電子機器に関するものである。
【背景技術】
【０００２】
近年、注目されている入力装置の一つにタッチパネルがある。タッチパネルの検出方式としては、抵抗膜式、静電容量方式、光学式など幾つかの方式がある。特に、スマートフォン、デジタルビデオカメラや、デジタルスチルカメラのような携帯機器において、操作画面や撮像画面を表示しながら直感的に操作できる利便性から、タッチパネルを搭載した機種が普及している。携帯機器の画面大型化が進む中で、操作ボタンのスペースを削除することが可能となり大きなメリットがある。
【０００３】
一方で、デジタルカメラやビデオカメラの中には光学ファインダ或いは電子ビューファインダを覗いて画像の構図を確認しながら撮影するものがある。被写体をファインダで捕えながら素早くピント位置の移動操作を行うときに、ファインダを覗きながらのタッチパネル操作は困難となる。タッチパネルの通常操作では表示されている箇所を見ながら簡単に選択操作できるが、ファインダに接眼した状態では見ていない平面なパネルを手探りで操作することになり選択ミスや誤操作となってしまう。
【０００４】
ファインダ接眼時のタッチ操作例として特許文献１では、ユーザがファインダを覗きこむ左右目の情報からタッチ選択可能領域を設定し、接眼時に顔部分が接触して誤入力を防止する手法が開示されている。タッチ操作と他のスイッチ操作を組み合わせた例として特許文献２では、タッチ操作と外装スイッチの操作で表示を更新したうえで表示されているパラメータ数値を設定できる手法が開示されている。
【先行技術文献】
【特許文献】
【０００５】
【特許文献１】特開２００９−２６０６８１号公報
【特許文献２】特開２０１４−０４２１６４号公報
【発明の概要】
【発明が解決しようとする課題】
【０００６】
しかしながら、上述の特許文献１に開示された従来技術では、タッチパネルの入力可能領域が制限されてしてしまうため、通常のタッチ操作と比較して操作性が低下してしまう。入力可能領域は誤操作防止となっており、例えば、ファインダ接眼中の鼻あたりで誤入力されないようにタッチ選択の領域制限がかけられており、通常のタッチ可能領域より範囲が狭くなっている。選択範囲が狭くなっているためファインダ内表示アイテムと選択位置とを合わせる操作がより困難となる。
【０００７】
また、特許文献２に開示された内容は通常のタッチ表示部を見ながらの選択である。ファインダ接眼状態ではタッチ表示部を見ることができないので手探りタッチ操作となってしまい、ユーザの意思とは異なるタッチ移動や選択が誤入力や誤操作となってしまう。図１２にタッチ誤操作の具体例を示す。図１２ではファインダを覗きながらの手探りタッチの一例を示しており、図１２（ａ）はタッチパネルを示し、図中の横方向Ｘ軸と縦方向Ｙ軸にて位置座標を検出する。
【０００８】
図１２（ａ）のタッチ１はタッチ開始位置であり、タッチしたまま移動したタッチ終了位置がタッチ２である。ファインダを覗きながらの手探りでのタッチ操作は、横方向に水平に移動したつもりでも図のように僅かなズレが生じてしまう。
【０００９】
図例での移動後のタッチ２位置はＹ軸座標値が下方にずれており、このときのＸ軸Ｙ軸の座標情報を基にこの水平方向のズレは、図１２（ｂ）の測距枠1区画分ずれたＡＦ１位置に表示展開される。ユーザは水平にタッチ移動したつもりでも表示位置が異なるので、更にタッチ移動を繰り返しＡＦ２位置に修復するといった作業が生じる。ファインダに接眼しながら撮影する場合では撮影者は被写体を追う事に集中するため、その時の入力は簡易に素早く行える操作が望まれる。
【００１０】
そこで本発明の目的は、タッチパネルの入力範囲を制限することなく、意図しないタッチ入力による誤動作を防止することを可能にしたタッチパネル付電子機器を提供することである。
【課題を解決するための手段】
【００１１】
上記目的を達成するために、本発明の一側面としての電子機器は
第１の操作部材のタッチパネルと、第２の操作部材で、
２軸方向に配列された複数の選択肢を選択する手段であって、
所定の条件によって、
タッチパネルに対してタッチしたまま移動する操作を検知すると、前記選択肢のうち、
第１の軸方向のみの選択肢を選択し、
第２の操作部材の操作では、前記選択肢のうち、
第１の軸方向とは異なる第２の軸方向の選択肢を選択するように制御する制御手段、を有することを特徴とする。
【発明の効果】
【００１２】
本発明によれば、ファインダ接眼時などのタッチ操作部を見ることができないときのタッチパネル操作において、誤入力防止となり、且つ、簡易で確実な選択方法を可能とし、操作性向上を実現でき、ユーザの利便性が向上する。
【図面の簡単な説明】
【００１３】
【図１】本発明の実施例に係るデジタルカメラの外観図である。
【図２】本発明の実施例に係るデジタルカメラの構成を示すブロック図である。
【図３】本発明の実施例に係るデジタルカメラを操作する俯瞰図である。
【図４】本発明の実施例に係るタッチ操作と表示移動を示す図である。
【図５】本発明の実施例に係るデジタルカメラの処理動作を示すフローチャートである。
【図６】本発明の実施例１に係る処理動作を示すフローチャートである。
【図７】本発明の実施例１に係るタッチ操作とダイヤル操作の表示の一例を示す図である。
【図８】本発明の実施例２に係る処理動作を示すフローチャートである。
【図９】本発明の実施例２に係るタッチ操作とダイヤル操作の表示の一例を示す図である。
【図１０】本発明の実施例３に係る処理動作を示すフローチャートである。
【図１１】本発明の実施例３に係るタッチ操作とダイヤル操作の表示の一例を示す図である。
【図１２】本発明の実施例に係るタッチ操作と表示移動を示す図である。
【発明を実施するための形態】
【００１４】
以下、図面を参照して本発明の好適な実施形態を説明する。図１（ａ）、（ｂ）に本発明の撮像装置の一例としてのデジタルカメラの外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。
【００１５】
ファインダ外表示部４３は、カメラ上面に設けられた表示部であり、シャッター速度や絞りをはじめとするカメラの様々な設定値が表示される。シャッターボタン６１は撮影指示を行うための操作部である。モード切換えスイッチ６０は各種モードを切り換えるための操作部である。端子カバー４０は外部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。
【００１６】
本実施例に関わる横方向移動選択手段はこのメイン電子ダイヤル７１を含んで行われる。電源スイッチ７２はデジタルカメラ１００の電源のＯＮ及びＯＦＦを切り換える操作部材である。サブ電子ダイヤル７３は操作部７０に含まれる回転操作部材であり、選択枠の移動や画像送りなどを行える。
【００１７】
本実施例に関わる横方向移動選択手段はこのサブ電子ダイヤル７３を含んで行われる。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、メニューボタンにおいてライブビュー（以下、ＬＶ）のＯＮとＯＦＦを切り替えるボタンである。動画撮影モードにおいては、動画撮影（記録）の開始、停止の指示に用いられる。
【００１８】
拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。
【００１９】
撮影モード中に再生ボタン７９を押下することで再生モードに移行し、記録媒体２００に記録された画像のうち最新の画像を表示部２８に表示させることができる。クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。ファインダ１６はフォーカシングスクリーン１３を観察することで、レンズユニット１５０を通して得た被写体の光学像の焦点や構図の確認を行うための覗き込み型のファインダである。
【００２０】
ファインダ１６には後述の接眼検知部（不図示）が内蔵されており、接眼の有無を検知可能である。蓋２０２は記録媒体２００を格納したスロットの蓋である。
グリップ部９０は、ユーザがデジタルカメラ１００を構えた際に右手で握りやすい形状とした保持部である。
【００２１】
図２は、本実施形態によるデジタルカメラ１００の構成例を示すブロック図である。図２において、レンズユニット１５０は、交換可能な撮影レンズを搭載するレンズユニットである。レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。
【００２２】
レンズユニット１５０は、この通信端子６、１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。ＡＥセンサ１７は、レンズユニット１５０を通した被写体の輝度を測光する。焦点検出部１１は、システム制御部５０にデフォーカス量情報を出力する。システム制御部５０はそれに基づいてレンズユニット１５０を制御し、位相差ＡＦを行う。
【００２３】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切換ええるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。
【００２４】
またミラー１２はその中央部が光の一部を透過できるようにハーフミラーとなっており、光束の一部を、焦点検出を行うための焦点検出部１１に入射するように透過させる。撮影者は、ペンタプリズム１４とファインダ１６を介して、フォーカシングスクリーン１３を観察することで、レンズユニット１５０を通して得た被写体の光学像の焦点や構図の確認が可能となる。
【００２５】
シャッター１０１は、システム制御部５０の制御で撮像部２２の露光時間を自由に制御できるフォーカルプレーンシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。画像処理部２４は、Ａ／Ｄ変換器２３からのデータ、又は、メモリ制御部１５からのデータに対し所定の画素補間、縮小といったリサイズ処理や色変換処理を行う。
【００２６】
また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２７】
Ａ／Ｄ変換器２３からの出力データは、画像処理部２４及びメモリ制御部１５を介して、或いは、メモリ制御部１５を介してシステムメモリ５２に直接書き込まれる。システムメモリ５２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。
【００２８】
Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２９】
ファインダ内液晶表示部４１には、ファインダ内表示部駆動回路４２を介して、現在オートフォーカスが行われている測距点を示す枠（ＡＦ枠）や、カメラの設定状態を表すアイコンなどが表示される。操作部７０の操作により、ファインダを覗いた状態で、選択中のＡＦ枠を示すカーソル位置を移動させ、フォーカスを合わせたいポイントを変更する事が出来る。ファインダ外液晶表示部４３には、ファインダ外表示部駆動回路４４を介して、シャッター速度や絞りをはじめとするカメラの様々な設定値が表示される。
【００３０】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャート内の設定データを含めた実行プログラムのことである。システム制御部５０は、デジタルカメラ１００全体を制御する。前述した不揮発性メモリ５６に記録されたプログラムを実行することで、後述する本実施形態の各処理を実現する。
【００３１】
５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１９、表示部２８等を制御することにより表示制御も行う。システムタイマー５３は各種制御に用いる時間や、内蔵された時計の時間を計測する計時部である。モード切換えスイッチ６０、第１シャッタースイッチ６２、第２シャッタースイッチ６４、操作部７０はシステム制御部５０に各種の動作指示を入力するための操作手段である。
【００３２】
モード切換えスイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切換えスイッチ６０で、メニューボタンに含まれるこれらのモードのいずれかに直接切り替えられる。
【００３３】
あるいは、モード切換えスイッチ６０でメニューボタンに一旦切り換えた後に、メニューボタンに含まれるこれらのモードのいずれかに、他の操作部材を用いて切り替えるようにしてもよい。
【００３４】
同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３５】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。操作部７０の各操作部材は、表示部２８に表示される種々の機能アイコンを選択操作することなどにより、場面ごとに適宜機能が割り当てられ、各種機能ボタンとして作用する。
【００３６】
機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。
【００３７】
操作部７０は、ユーザからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。なお操作部７０とは別に、表示部２８に対する接触を検知可能なタッチパネル２７を有する。タッチパネル２７と表示部２８とは一体的に構成することができる。
【００３８】
例えば、タッチパネル２７を光の透過率が表示部２８の表示を妨げないように構成し、表示部２８の表示面の上層に取り付ける。そして、タッチパネル２７における入力座標と、表示部２８上の表示座標とを対応付ける。これにより、あたかもユーザが表示部２８上に表示された画面を直接的に操作可能であるかのようなＧＵＩ（グラフィカルユーザーインターフェース）を構成することができる。タッチパネル２７は、タッチパネル駆動部２６を介して、検出したタッチ位置座標をシステム制御部５０に通知する。
【００３９】
システム制御部５０は通知された情報に基づいてタッチパネル２７上にどのような操作が行なわれたかを判定する。システム制御部５０は、タッチパネル２７上で移動する指等の移動量、移動速度及び移動方向についても、位置座標の変化に基づいて判定することができる。タッチパネル２７は、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００４０】
方式としては、タッチパネルに対する接触があったことでタッチがあったと検出する方式や、タッチパネルに対する指等の接近があったことでタッチがあったと検出する方式のものがあるが、いずれの方式でもよい。電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４１】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。通信部５４は、無線または有線ケーブルによって接続し、映像信号や音声信号の送受信を行う。通信部５４は無線ＬＡＮ（Local Area Network）やインターネットとも接続可能である。
【００４２】
通信部５４は撮像部２２で撮像した画像（スルー画像を含む）や、記録媒体２００に記録された画像を送信可能であり、また、外部機器から画像データやその他の各種情報を受信することができる。接眼検知部５５は赤外発光体、受光回路で構成されており、一定間隔で赤外光を発光し、対象物で反射した光量を測定することで、既定位置に対象物が近接しているか否かを検知する。これにより、ユーザがファインダに接眼したか否かを判別できる。
【００４３】
［実施例１］
以下、図３、図４、図５を参照して、本発明の実施例によるデジタルカメラの制御方法について説明する。
【００４４】
本実施例では、表示部２８に設置されたタッチパネル２７の動作例として、ファインダ１６を覗く前（接眼検知前）と覗いた後（接眼検知後）での、ファインダ内液晶表示部４１に表示されるＡＦ枠を示すカーソル位置を移動させる操作と選択手順を示す。
【００４５】
図３はデジタルカメラ１００を背面側から見た図であり、表示部２８上全面にタッチパネル２７が配置されている。また、ファインダ１６内部のファインダ内液晶表示４１を拡大した図としてデジタルカメラ１００の上部に示している。例では、ファインダ内液晶表示４１内には７７点のＡＦ枠（選択肢）が表示されており、ユーザ４０１はタッチ操作により任意の点を選択する事が可能である。選択中のＡＦ枠を表すカーソル枠４１０は非選択表示部とは異なる表示となり、図中では太線で示されている。
【００４６】
この時のファインダ内表示については、選択された部分のみの輝度を変えたり配色を変えたりといった、ユーザにとって選択結果がわかるように表示される。３０１はユーザの指４０２がタッチパネル２７に接触したタッチ位置を示している。前途したように、表示部２８の全面にタッチパネル２７を配置しているので、表示部領域をタッチすれば対応する位置関係の前途ファインダ内のＡＦ枠を選択表示し、測距点が選択される。
【００４７】
図４はタッチパネル２７とファインダ液晶表示４１の詳細図であり、タッチ検出範囲とファインダ表示の関係性を示す。図４（ａ）はタッチパネル２７を示し、図中の横方向Ｘ軸と縦方向Ｙ軸にて位置座標を検出する。タッチ検出方式は前途したように様々な方式があるが、接触または押圧されたタッチ座標を検出してタッチされた場所を特定する、といった基本方式は同じである。
【００４８】
図のようにユーザは中心から離れた場所３０１をタッチしている。図４（ｂ）は、図（ａ）でタッチされた３０１のタッチ位置座標がファインダ液晶表示４１に展開された状態を示している。前途したように、タッチパネル２７の位置座標データはタッチパネル制御部２６からシステム制御部５０に通知され、相対する位置のＡＦ枠（選択肢）が選ばれる。図４（ａ）でタッチした場所が３０１のようにタッチパネル中心位置から離れた位置でも、ファインダ表示では現在のＡＦピント位置を基に選択される。
【００４９】
この場合はＡＦ中央でピント合焦していた場合を示し、中心位置である４１０のＡＦ枠が選択される。これは、ファインダを覗きながらの手探りタッチ操作をわかりやすくするうえで、最初のタッチ開始地点をファインダ表示部の定められた位置（例では中心ＡＦ枠４１０）としている。ユーザはファインダで被写体を捕えながら撮影しているときに測距点移動をしたい場合は、ファインダ表示のタッチ開始点の測距表示を見ながら、手探りでタッチ移動を試みて測距枠の表示移動を確認する。
【００５０】
〔接眼検知前の入力動作〕
図５はデジタルカメラ１００のＡＦ枠移動選択処理（接眼検知前）の一例を示すフローチャートである。このフローチャートにおける各処理は、システム制御部５０が不揮発性メモリ５６に格納された一部のプログラムやデータをシステムメモリ５２に展開して実行することにより実現される。ステップＳ５０１は、表示部２８に被写体側のライブビュー（ＬＶ）表示を行い、タッチパネル２７でのタッチ検出が有効となっている状態である。ステップＳ５０２では、表示部２８にライブビュー時の撮像面ＡＦで得られた測距点がわかるように表示されている。
【００５１】
ステップＳ５０３ではタッチ検出を判定しており、タッチ検出無しの場合はステップＳ５０４へ進みライブビュー表示を継続して、ステップＳ５０５のＬＶ表示タッチ選択モードとなり待機状態となる。ステップＳ５０３でタッチ検出ありと判定されると、ステップＳ５０６へ進み、タッチされた箇所の座標を開始ポイントとして記録する。ステップＳ５０７ではタッチ開始位置からの移動量をＸ座標とＹ座標の数値から判定し、タッチパネル制御部２６からシステム制御部５０に通知され、相対する位置のＡＦ枠がタッチ移動と共に選択表示される。
【００５２】
ステップＳ５０８では選択されたＡＦ枠の測距点、または測距エリアで測距を行い、被写体のピントが合うと合焦表示に切換え、その後ステップＳ５０９へ移行し撮像可能な待機状態となる。
【００５３】
〔接眼検知後の入力動作〕
図６はデジタルカメラ１００のＡＦ枠移動選択処理（接眼検知後）の一例を示すフローチャートである。このフローチャートにおける各処理は、システム制御部５０が不揮発性メモリ５６に格納された一部のプログラムやデータをシステムメモリ５２に展開して実行することにより実現される。ステップＳ６０１は、表示部２８に被写体側のライブビュー（ＬＶ）表示を行い、タッチパネル２７でのタッチ検出が有効となっている状態である。ステップＳ６０２では、表示部２８にライブビュー時の撮像面ＡＦで得られた測距点がわかるように表示されている。
【００５４】
ステップＳ６０３ではファインダ接眼検知を判定しており、接眼検知無しの場合はステップＳ６０４へ進みライブビュー表示を継続して待機状態となる。ステップ６０３で接眼していると判定すれば、ステップＳ６０５に進み、「２方向スイッチ選択モード」を開始する。「２方向スイッチ選択モード」ではファインダに接眼しながらタッチ操作とダイヤル操作を組み合わせたAF枠選択操作を可能とする。ステップＳ６０６では接眼時のまぶしさ軽減のために背面モニタ表示部２８のバックライト照明と表示を消灯し、タッチパネル２７のタッチ検出は有効に設定される。
【００５５】
ステップＳ６０７では、ファインダ液晶表示４１にはライブビュー時の撮像面ＡＦで得られた測距点位置にＡＦ枠が表示され、この位置が開始位置となる。ステップＳ６０８ではタッチ検出を判定しており、タッチ検出無しの場合はステップＳ６１１へ進み、ダイヤル検出フローへ進む。ステップＳ６０８のタッチ検出判定で、タッチ検出ありの場合はステップＳ６０９へ進み、タッチ開始位置を記録し、タッチ移動位置を座標から検出する。ステップＳ６０９でのタッチ移動量の判定は、Ｙ座標のみを抽出して演算する。
【００５６】
これにより、タッチ移動がＸ軸の横方向にずれる検出は無視され、ユーザはＹ軸の縦方向のみの表示移動に集中できる。またタッチ入力の変形例として、タッチ箇所を同じような動作で何回もはじくように触るフリック操作については、毎回のタッチ終了位置を表示の開始位置として判定し、タッチ移動量を加算して表示していく。ステップＳ６１０では、タッチ座標と対応づけたファインダ内の測距点表示を行い、Ｙ軸の縦方向のみＡＦ枠表示を移動する。
【００５７】
ステップＳ６１１では電子ダイヤル７１の入力検出を行っており、１クリック回転を横方向の移動量としてカウントし演算される。例えば、右回転をアップ方向とし、Ｘ座標のプラス値とする。例えば、左回転をダウン方向とし、Ｘ座標のマイナス値とする。ステップＳ６１２では、入力された電子ダイヤル７１のクリック数に対応してファインダ内の測距点表示の移動が行われる。ステップＳ６１３では選択されたＡＦ枠の測距点、または測距エリアで測距を行い、被写体のピントが合うと合焦表示に切換え、その後撮像可能となる。ステップＳ６１４では一連の測距点選択動作が終了し、撮像命令の待機となる。
【００５８】
図７で図６の動作の具体例を示す。図７（ａ）はタッチパネル２７のタッチ開始位置３０１からタッチしたまま終了位置３０２まで移動したときを表している。このとき、タッチの軌跡は図のように斜めになっても、前途した図６のステップＳ６０８からＳ６１０で説明したように、図７（ｂ）のファインダ液晶表示４１では４１０から４１１の移動軌跡で表示される。図７（ｃ）はカメラ外装に設置した電子ダイヤル７１が左右に回転して設定されることを表しており、前途した図６のステップＳ６１１からＳ６１２で説明したように、図７（ｄ）のファインダ液晶表示４１では４１３から４１４の移動軌跡で表示される。
【００５９】
４１４位置はユーザが希望する測距点位置であり、タッチ演算で片方の座標を表示に展開しないため、ユーザは移動ズレの無い縦方向に専念した操作が可能となり、システム制御５０は早急な縦方向移動の検出が可能となりタッチ誤判定が無くなる。横方向の移動は電子ダイヤル７１のクリック操作がそのまま横方向の表示移動となるので、ユーザは表示の左右方向と回転方向の関連性をもった簡易な入力が可能となる。被写体をファインダで捕えながらカメラを構えている時、左手はタッチ操作を行い、右手は電子ダイヤル操作を行えば、ユーザは素早い測距点移動入力が可能となる。
【００６０】
以上説明したように、本実施例では、タッチ操作に対して片方の座標を移動演算に使用せず、もう一方の座標は異なる操作の入力手段とすることで、ユーザにとっては手探りタッチで誤判定の無い簡易操作が実現可能となる。
【００６１】
［実施例２］
〔接眼検知前の入力動作〕
図８は、タッチ移動量とファインダ表示移動量の関係を示し、実施例２の選択ステップの設定方法について説明する。ステップＳ８０１はカメラの設定画面で選択できるモードの一つであり、「選択ステップ変更モード」が動作し、ユーザは選択ステップの変更が可能となる。ステップＳ８０２は、システム制御部５０または不揮発性メモリ５６に記録された選択ステップ数値を読み出す。表示部２８の設定画面では現在の記録されている選択ステップ数を告知し、ユーザは任意の選択ステップ数値に変更可能とする。
【００６２】
ステップＳ８０３では、変更する選択ステップ数値を加算し、ステップＳ８０４では、システム制御部５０または不揮発性メモリ５６に記録更新する。システム制御部５０では、図６のＳ６１０またはＳ６１２のファインダ表示のＡＦ枠移動時に記録されている選択ステップ数値をもとにＡＦ枠表示が移動する。
【００６３】
図９で図８の動作を具体的に示す。図９（ａ）はタッチパネル２７のタッチ開始位置３０１とタッチ移動した終了位置３０２を示している。図（ａ）のように少ないタッチ移動に対して、図（ｂ）のファインダ液晶表示４１のＡＦ枠選択表示は相対関係をもってステップが大きく移動する。これは、タッチのＸＹ座標数値とファインダ表示の選択ステップ数値の位置関係を保ちながら、選択ステップ数値を加算して表示移動することで可能となる。
【００６４】
例えば、タッチ移動（Ｘ座標＋１、Ｙ座標＋１）でＡＦ枠表示が１区分ステップ移動していた場合、選択ステップ数値が２区分に変更されれば、同じタッチ移動の（Ｘ座標＋１、Ｙ座標＋１）でもＡＦ枠表示は＋２区分の移動が可能となる。図（ｂ）は（ａ）のタッチしたときのファインダ表示を示す。４１０がＡＦ開始枠のとき、選択ステップが設定されていない基準値であれば４１１のＡＦ枠が選択され、選択ステップが２ステップになれば４１２のＡＦ枠が選択される。これにより、小さいタッチ移動で大きな選択表示移動が可能となり、操作性が向上する。
【００６５】
同様に、電子ダイヤル７１の１クリックに対して選択ステップ数値を加算して表示移動すれば、図（ｃ）のように、横方向移動で大きくＡＦ枠選択表示が移動する。手探りタッチ操作の場合、タッチしたままの移動は少なくし、選択表示の移動ステップを大きくすれば操作性向上となる。また、電子ダイヤルの１クリック回転の移動範囲を変更することで、測距枠および測距点の区分け数が更に増加した場合にも大きく移動できるので、ユーザは素早い表示移動と選択が可能になる。
【００６６】
以上説明したように、実施例２では、操作入力と選択表示ステップを任意に変更可能とすることで、ユーザに負担の無いタッチ操作とダイヤル回転操作を可能としている。
【００６７】
［実施例３］
〔接眼検知後の入力動作〕
図１０はタッチパネル２７の操作性向上の一例動作のフローチャートであり、実施例３での選択位置調整動作について説明する。ステップＳ１００１の「２方向スイッチ選択モード」は、図８と図９で説明したファインダ内選択表示のステップ数値が設定された状態で開始する。「２方向スイッチ選択モード」ではファインダに接眼しながらタッチ操作とダイヤル操作を組み合わせたAF枠測距点選択操作を可能とする。
【００６８】
ステップＳ１００２では接眼時のまぶしさ軽減のために背面モニタ表示部２８のバックライト照明と表示を消灯し、タッチパネル２７のタッチ検出は有効に設定される。ステップＳ１００３では、ファインダ液晶表示４１にはライブビュー時の撮像面ＡＦで得られた測距点位置にＡＦ枠が表示され、この位置が開始位置となる。ステップＳ１００４ではタッチ検出を判定しており、タッチ検出無しの場合はステップＳ１００９へ進み、ダイヤル検出フローへ進む。ステップＳ１００４のタッチ検出判定で、タッチ検出ありの場合はステップＳ１００５へ進み、タッチ開始位置を記録し、タッチ移動位置を座標から検出する。
【００６９】
ステップＳ１００４でのタッチ移動量の判定は、Ｙ座標のみを抽出して演算する。これにより、タッチ移動がＸ軸の横方向にずれる検出は無視され、ユーザはＹ軸の縦方向のみの表示移動に集中できる。またタッチ入力の変形例として、タッチ箇所を同じような動作で何回もはじくように触るフリック操作については、毎回のタッチ終了位置を表示の開始位置としてタッチ移動量を加算して表示していく。ステップＳ１００６では、タッチ座標と対応づけたファインダ内の測距点表示を行い、Ｙ軸の縦方向のみＡＦ枠表示を移動する。このときのＡＦ枠表示の移動は記録された選択ステップ数値を基にステップ移動を行い、タッチ終了位置まで表示される。
【００７０】
ステップ１００７では、タッチの終了位置からの戻りを所定時間判定しており、ここでは縦方向にタッチ移動して加算されたＹ軸数値に対して、逆方向にタッチ移動してマイナス変位する数値の判定を行っている。ステップ１００８ではタッチ戻りと判定された場合の選択表示を設定しており、選択ステップを基準値に戻した移動を行う。これにより、タッチ入力が行き過ぎた場合にユーザがタッチを逆方向に戻して位置調整を行うときに、選択表示ステップが大きいままだと位置調整が困難となるが、タッチ戻りは基準の選択ステップに戻すので操作の微調整を可能としている。
【００７１】
また、終了位置から指を一旦離した後の再度タッチの場合でも、基準の選択ステップに戻して２回目のタッチ操作は微調整可能な動作となる。ステップＳ１００９では電子ダイヤル７１の入力検出を行っており、電子ダイヤル７１の入力検出がない場合は、ステップＳ１０１３に進む。ステップＳ１００９で電子ダイヤル７１の入力検出があると、ステップＳ１０１０に進み、１クリック回転を横方向の移動量としてカウントし演算される。
【００７２】
例えば、右回転をアップ方向とし、Ｘ座標のプラス値とする。例えば、左回転をダウン方向とし、Ｘ座標のマイナス値とする。ステップＳ１０１１では、入力された電子ダイヤル７１のクリック数に対応してファインダ内の測距点選択表示の移動が行われる。このときのＡＦ枠選択表示の移動は、記録された選択ステップ数値を基にステップ移動を行い、電子ダイヤル回転終了まで移動して表示される。ステップＳ１０１２では、ダイヤル回転位置からの戻りを所定時間判定しており、回転戻りが無い場合はステップＳ１０１２の判定を繰り返し、回転戻りがあった場合はステップＳ１０１３に進む。
【００７３】
ここでの回転戻りの判定は、例えば、右回転プラスの座標値アップ数値に対して左回転マイナスの座標値ダウン数値を検出するといった、横方向移動の数値とは逆の数値の変位を検出している。ステップ１０１３ではダイヤル回転戻りと判定された場合の選択表示を設定しており、選択ステップは基準値に戻した移動を行う。
【００７４】
これにより、ダイヤル入力が行き過ぎた場合にユーザがダイヤルを逆に回転して位置調整を行うときに表示ステップが大きいままだと位置調整が困難となるが、ダイヤル回転戻りは基準の表示ステップに戻すので操作の微調整を可能としている。ステップＳ１０１４では、選択されたＡＦ枠の測距点、または測距エリアで測距を行い、被写体のピントが合うと合焦表示に切換え、その後ステップＳ１０１５に進み、撮像可能待機状態となる。
【００７５】
図１１で図１０の動作を具体的に示す。図１１（ａ）はタッチパネル２７のタッチ開始位置３０１と、タッチ移動した第１回目の終了位置３０２と、その後タッチ戻りを行った第２回目終了位置３０３を示している。図（ｂ）はファインダ液晶表示４１のタッチ操作によるＡＦ枠選択表示の移動を示し、タッチ位置と対応づけて、タッチ開始位置３０１は４１０、第１回目の終了位置３０２は４１１、第２回目終了位置３０３は４１２、とそれぞれ対応する。
【００７６】
図（ｃ）はファインダ液晶表示４１の電子ダイヤル７１操作によるＡＦ枠選択表示の移動を示し、クリック回転操作と対応づけて、回転初期位置を４１３、選択ステップを２ステップにし、３クリック回転したときを４１４、１クリック逆回転したときを４１５、とそれぞれ対応する。
【００７７】
図のように、タッチ開始位置または電子ダイヤル回転1クリックで表示ステップ設定値に合わせて大きく表示移動した後、タッチ方向戻しまたは電子ダイヤル逆回転を検出したときは表示ステップを１つずつ移動させる。表示ステップの設定値で大きく表示移動し、逆方向の操作を受け付けると基準ステップに変更し細かい移動と選択が可能となる。
【００７８】
今回の実施例では、ファインダ液晶表示４１に表示するＡＦ枠および測距点は７７点の表示アイテムで説明したが、選択する測距点が増えると目標ＡＦ枠を選択することはより困難となる。最初の操作で表示ステップを大きく動かし、その後の操作に合わせて移動位置を微調整することで早急な表示移動と選択操作が可能となり、多点測距の操作にも有効となる。
【００７９】
以上説明したように、実施例３では最初の移動方向は素早く移動でき、ユーザの補正操作は細かく選択できるような操作入力手段が実現できる。以上説明したように、本実施例によりファインダを覗きながら手探りタッチを行う状況でも簡単に確実なタッチ操作ができる。
【符号の説明】
【００８０】
２６：タッチパネル制御部、２７：タッチパネル、４１：ファインダ内液晶表示部、５０：システム制御部、５５：接眼検知部、７１：電子ダイヤル、１００：デジタルカメラ
【図１】
2018113536.tif 000003
【図２】
2018113536.tif 000004
【図３】
2018113536.tif 000005
【図４】
2018113536.tif 000006
【図５】
2018113536.tif 000007
【図６】
2018113536.tif 000008
【図７】
2018113536.tif 000009
【図８】
2018113536.tif 000010
【図９】
2018113536.tif 000011
【図１０】
2018113536.tif 000012
【図１１】
2018113536.tif 000013
【図１２】
2018113536.tif 000014